(57)【特許請求の範囲】
【請求項１】
前面枠の一側に突出させ先端よりの位置に軸孔が開設された第１のヒンジ部材と、機構板の一側に突出させ先端よりの位置に下向きの軸ピンが設けられた第２のヒンジ部材とを有し、前記第２のヒンジ部材の軸ピンを前記第１のヒンジ部材の軸孔に挿通することにより前記機構板を前記前面枠の裏面側に回動自在に装着してなるパチンコ機において、
前記第１のヒンジ部材の側方に位置して該第１のヒンジ部材に対し上方に垂直状の板状部を設けると共に、前記第２のヒンジ部材の側方に位置して該第２のヒンジ部材に対して下方に垂直状の板状部を設け、
前記機構板を前記前面枠に装着するにあたり、前記第２のヒンジ部材の先端を前記第１のヒンジ部材の側方に設けられた板状部に接触させると共に、前記第１のヒンジ部材の先端を前記第２のヒンジ部材の側方に設けられた板状部に接触させると、前記第１のヒンジ部材の軸孔と前記第２のヒンジ部材の軸ピンとが直線状になるような位置関係になっていることを特徴とするパチンコ機。
【請求項２】
前面枠の一側に突出させ先端よりの位置に上向きの軸ピンが設けられた第１のヒンジ部材と、機構板の一側に突出させ先端よりの位置に軸孔が開設された第２のヒンジ部材とを有し、前記第１のヒンジ部材の軸ピンを前記第２のヒンジ部材の軸孔に挿通することにより前記機構板を前記前面枠の裏面側に回動自在に装着してなるパチンコ機において、
前記第１のヒンジ部材の側方に位置して該第１のヒンジ部材に対し上方に垂直状の板状部を設けると共に、前記第２のヒンジ部材の側方に位置して該第２のヒンジ部材に対して下方に垂直状の板状部を設け、
前記機構板を前記前面枠に装着するにあたり、前記第２のヒンジ部材の先端を前記第１のヒンジ部材の側方に設けられた板状部に接触させると共に、前記第１のヒンジ部材の先端を前記第２のヒンジ部材の側方に設けられた板状部に接触させると、前記第１のヒンジ部材の軸ピンと前記第２のヒンジ部材の軸孔とが直線状になるような位置関係になっていることを特徴とするパチンコ機。
【請求項３】
前面枠の一側に突出させ先端よりの位置に軸孔が開設された第１のヒンジ部材と、機構板の一側に突出させ先端よりの位置に下向きの軸ピンが設けられた第２のヒンジ部材とを有し、前記第２のヒンジ部材の軸ピンを前記第１のヒンジ部材の軸孔に挿通することにより前記機構板を前記前面枠の裏面側に回動自在に装着してなるパチンコ機において、
前記第１のヒンジ部材の側方と先端に板状部を上方へ垂直状に設けて該第１のヒンジ部材の側方から先端に回り込むようにＬ字型のガイド部を配設し、
前記機構板を前記前面枠に装着するにあたり、前記第２のヒンジ部材の先端及び側方を前記第１のヒンジ部材のガイド部に内側から接触させると、前記軸孔と前記軸ピンとが直線状になるような位置関係になっていることを特徴とするパチンコ機。
【請求項４】
前面枠の一側に突出させ先端よりの位置に上向きの軸ピンが設けられた第１のヒンジ部材と、機構板の一側に突出させ先端よりの位置に軸孔が開設された第２のヒンジ部材とを有し、前記第１のヒンジ部材の軸ピンを前記第２のヒンジ部材の軸孔に挿通することにより前記機構板を前記前面枠の裏面側に回動自在に装着してなるパチンコ機において、
前記第１のヒンジ部材の側方と先端に板状部を上方へ垂直状に設けて該第１のヒンジ部材の側方から先端に回り込むようにＬ字型のガイド部を配設し、
前記機構板を前記前面枠に装着するにあたり、前記第２のヒンジ部材の先端及び側方を前記第１のヒンジ部材のガイド部に内側から接触させると、前記軸孔と前記軸ピンとが直線状になるような位置関係になっていることを特徴とするパチンコ機。
【発明の詳細な説明】
【０００１】
【発明の属する技術分野】
本発明は、機構板が開閉自在に装着されたパチンコ機に関するものである。
【０００２】
【従来の技術】
従来のパチンコ機は、前面枠裏面一側に機構板がヒンジ具を介して着脱自在かつ回動自在に装着されていた。前記ヒンジ具は、軸ピンを有するヒンジ部材と軸孔を有するヒンジ部材とで構成され、一方のヒンジ部材が前面枠側の遊技盤取付枠一側上下に固着され、他方のヒンジ部材が前記ヒンジ部材と対向位置して機構板の一側に固着されている。該ヒンジ部材は、金属片を直角に曲げて取付台板と軸受板とを形成し、該軸受板に軸ピンまたは軸孔が設けられている。
【０００３】
また機構板は、球タンクやタンクレールあるいはパチンコ球払出装置，入賞球処理装置、さらにはこれらの電気的部品を駆動制御するための配電盤や電子回路基板等の裏機構が集約して組付けられており、機構板全体の重量が非常に重いもので、上下２個所のヒンジ部材の軸ピンを同時に軸孔に嵌め込むようにしてパチンコ機に装着していた。
【０００４】
【発明が解決しようとする課題】
このため、上記のようなパチンコ機にあっては、機構板を装着する作業は、大きい機構板を操って微妙な位置合わせが必要であり、作業性が極端に悪いという問題があった。
【０００５】
そこで本発明はこのような課題を解決すべくなされたもので、その目的とするところは、簡単にかつ短時間で機構板を装着できるパチンコ機を提供をすることにある。
【０００６】
【課題を解決するための手段】
上記目的を達成するために本発明は、軸孔を設けたヒンジ部材と軸ピンを設けたヒンジ部材とからなるヒンジ具を介して機構板を前面枠裏面側に回動自在に装着してなるパチンコ機において、前記機構板に、前面枠側に設けたヒンジ部材に接触し、前記軸孔と軸ピンが直線状となるガイド部を設けた。
【０００７】
軸孔を設けたヒンジ部材と軸ピンを設けたヒンジ部材とからなるヒンジ具を介して機構板を前面枠裏面側に回動自在に装着してなるパチンコ機において、前記前面枠側に、機構板に設けたヒンジ部材に接触し、前記軸孔と軸ピンが直線状となるガイド部を設けた。
【０００８】
軸孔を設けたヒンジ部材と軸ピンを設けたヒンジ部材とからなるヒンジ具を介して機構板を前面枠裏面側に回動自在に装着してなるパチンコ機において、前記機構板および前面枠側に、機構板と前面枠に設けたヒンジ部材にそれぞれ接触し、前記軸孔と軸ピンが直線状となるガイド部を設けた。
【０００９】
軸孔を設けたヒンジ部材と軸ピンを設けたヒンジ部材とからなるヒンジ具を介して機構板を前面枠裏面側に回動自在に装着してなるパチンコ機において、前記軸孔を設けたヒンジ部材に、該軸孔に連通して一側が開放するガイド部を設け、前記軸ピンをガイド部に当接することにより前記軸孔と軸ピンが直線状となるようにした。
【００１０】
軸孔を設けたヒンジ部材と軸ピンを設けたヒンジ部材とからなるヒンジ具を介して機構板を前面枠裏面側に回動自在に装着してなるパチンコ機において、前記一方のヒンジ部材と、他方のヒンジ部材を取付ける機構板または前面枠側に前記軸孔と軸ピンが直線状となるガイド部を設けた。
【００１１】
軸孔を設けたヒンジ部材と軸ピンを設けたヒンジ部材とからなるヒンジ具を介して機構板を前面枠裏面側に回動自在に装着してなるパチンコ機において、前記一方のヒンジ部材に、他方のヒンジ部材が当接し、前記軸孔と軸ピンが直線状となるガイド部を設けた。
【００１２】
前記軸孔を設けたヒンジ部材を前面枠裏面側に取付けると共に、少なくとも上下どちらか一方のヒンジ部材の軸受板に、軸ピンを載置する軸支持部を設けて、一方の軸ピンを軸支持部に支持し、他方のヒンジ部材をガイド部により位置決めするようにして機構板を装着しやすいようにした。また、軸支持部に軸ピンの仮止まりとなる僅かな段差を設けるのが好ましい。
【００１３】
前記ヒンジ部材は、取付台板と該取付台板から垂設した軸受板とからなり、該軸受板に軸孔および軸ピンを設けている。
【００１４】
上記のように構成されたパチンコ機は、機構板の装着が簡単にでき作業の効率化を図ることができる。
【００１５】
【発明の実施の形態】
以下に本発明に係わるパチンコ機の実施の形態を図面を参照しつつ説明する。図１はパチンコ機の裏面図、図２は機構板を開放した状態のパチンコ機の斜視図である。図において１はパチンコ機の機枠、２は機枠１の前面に開閉自在に設けられる前面枠である。該前面枠２の裏面には遊技盤取付枠３を介して遊技盤４が着脱自在に取り付けられる。該遊技盤４の裏面には、合成樹脂により方形状に形成された機構板５がヒンジ具６により着脱開閉可能に装着されている。なお、本実施の形態では前面枠２と遊技盤取付枠３は、合成樹脂により一体に形成されている。
【００１６】
前記機構板５の裏面上部には球タンク７が固着されており、該球タンク７の下方にはタンクレール８が設けられている。また、タンクレール８の下流端は屈曲レール９を介してパチンコ球払出装置１０に接続されており、該パチンコ球払出装置１０の下方には払出されたパチンコ球をパチンコ機前面の打球供給皿（図示せず）に導く排出樋１１が設けられている。
【００１７】
また、機構板５の遊技盤４裏面と相対する前面側には球寄せ空間１２が形成され、該球寄せ空間１２の下方部には上面が開口した入賞球集合部１３が設けられている。そして、その出口と連通状に入賞球を一列で導き出す入賞球通路１４を介して入賞球集合部１３に集められた入賞球を一個ずつ排出処理する入賞球処理装置１５が設けられている。
【００１８】
一方、前記機構板５の開放側の上下部に、機構板５を遊技盤４の裏面に密着固定させるために、いわゆる「ナイラッチ」と呼ばれる固定具１６，１６が取着され、遊技盤取付枠３の一側上下部に固定具１６，１６に対応位置して係止部１７，１７が形成されている。該固定具１６，１６は、機構板５を遊技盤４の裏面に密着させて、係止部１７，１７に係止することで機構板５を遊技盤４の裏面に密着固定させることができるようになっている。
【００１９】
前記ヒンジ具６は、図４ないし図６に示すように軸孔１８を有するヒンジ部材１９と軸ピン２０を有するヒンジ部材２１とで構成される。該ヒンジ部材１９，２１は取付台板２２と該取付台板２２から垂設した軸受板２３とからなり、ヒンジ部材１９の軸受板２３に軸孔１８が穿設され、他方のヒンジ部材２１の軸受板２３に先細の軸ピン２０が設けられている。また、ヒンジ部材１９は取付台板２２に設けたビス孔２５，２５を介して遊技盤取付枠３の一側上下にビス着２６，２６され、ヒンジ部材２１は取付台板２２に設けたビス孔２５，２５を介して前記ヒンジ部材１９の取付け位置に合致して機構板５の一側上下にビス着２６，２６される。
【００２０】
しかして、図４に示すように機構板５のヒンジ部材２１の下方に、ヒンジ部材１９の軸受板２３が接触して、軸孔１８と軸ピン２０が直線状となるガイド部２７を設けている。該ガイド部２７は、ヒンジ部材１９の軸受板２３の周縁が合致する凹溝２８が、図６に示すように軸ピン２０の軸方向に少なくとも軸ピン２０の先端を跨ぐ長さ設けられている。なお、ガイド部２７は、ヒンジ部材１９の軸受板２３の周縁を二点以上で支持する筋条のものでもＬ形のものでもよい。
【００２１】
このように構成されたパチンコ機は、図５に示すように機構板５に設けたガイド部２７を、遊技盤取付枠３の一側上下に固着したヒンジ部材１９，１９の軸受板２３の周縁に当てがい、図６に示すように軸孔１８と軸ピン２０が直線状となった状態で、同図鎖線に示すようにガイド部２７の凹溝２８にヒンジ部材１９の軸受板２３の周縁に当てた状態で機構板５を摺動し、ヒンジ部材２１，２１の軸ピン２０を上方から軸孔１８に嵌挿することで、ヒンジ部材１９，１９の軸受板２３，２３にヒンジ部材２１，２１の軸受板２３，２３が支持されて機構板５を図５鎖線に示すように遊技盤４裏面に開閉自在に装着することができる。
【００２２】
また、図７に示すように、少なくとも上下どちらか一方のヒンジ部材１９の軸受板２３の一部を延出して、軸ピン２０が載置する軸支持部２３ａを凹溝状に形成するのが好ましく、機構板５の装着に際し、図８に示すようにヒンジ部材１９の軸支持部２３ａに、該ヒンジ部材１９に対応する機構板５のヒンジ部材２１の軸ピン２０をまず載置させ、それを軸として図８鎖線に示すように他方のヒンジ部材１９の軸受板２３をガイド部２７に当接させ、次に軸支持部２３ａに載置した軸ピン２０を軸支持部２３ａの凹溝に沿って押し、ヒンジ部材１９の軸受板２３をガイド部２７に当接させ、ヒンジ部材２１，２１の軸ピン２０を軸孔１８に嵌挿するようにしている。このように、一方の軸ピン２０で機構板５の荷重を支えて、他方のヒンジ部材１をガイド部２７により位置決めしたほうが安定して装着しやすい。
【００２３】
図９ないし図１１はガイド部の他の実施の形態を示すもので、図９に示すように遊技盤取付枠３のヒンジ部材１９の上方に、ヒンジ部材２１の軸受板２３が接触して、軸孔１８と軸ピン２０が直線状となるガイド部２７ａを設けている。該ガイド部２７ａは、ヒンジ部材２１の軸受板２３の周縁が二点で接触する２本の突条２９，２９が平行して設けられている。なお、ガイド部２７ａは、ヒンジ部材１９の軸受板２３の周縁に合致する凹溝としてもよい。
【００２４】
この実施の形態では、図１０に示すように機構板５に固着したヒンジ部材２１の軸受板２３の周縁を、遊技盤取付枠３に設けたガイド部２７ａの２本の突条２９，２９の両方に接触するように当てがい、図１１に示すように軸孔１８と軸ピン２０が直線状となった状態で、同図鎖線に示すようにガイド部２７ａの突条２９，２９に沿って機構板５を下方に摺動し、ヒンジ部材２１，２１の軸ピン２０を上方から軸孔１８に嵌挿することで、ヒンジ部材１９，１９の軸受板２３，２３にヒンジ部材２１，２１の軸受板２３，２３が支持されて機構板５を遊技盤４裏面に開閉自在に装着することができる。
【００２５】
また、この実施の形態においても、前記実施の形態と同様に少なくとも上下どちらか一方のヒンジ部材１９の軸受板２３の一部を延出して、軸ピン２０が載置する軸支持部２３ａを設けるのが好ましく、機構板５の装着に際し、ヒンジ部材１９の軸支持部２３ａに、該ヒンジ部材１９に対応する機構板５のヒンジ部材２１の軸ピン２０をまず載置させ、それを軸として他方のヒンジ部材２１の軸受板２３をガイド部２７ａに当接させ、次に軸支持部２３ａに載置した軸ピン２０を軸支持部２３ａの凹溝に沿って押し、ヒンジ部材２１の軸受板２３をガイド部２７ａに当接させ、ヒンジ部材２１，２１の軸ピン２０を軸孔１８に嵌挿するようにすると、機構板５が安定して装着しやすい。
【００２６】
図１２ないし図１４はガイド部のさらに他の実施の形態を示すもので、ガイド部２７ｂは、機構板５および遊技盤取付枠３に固着したヒンジ部材１９，２１に互いに接触し、前記軸孔１８と軸ピン２０が直線状となる板状部３０，３１を機構板５および遊技盤取付枠３にそれぞれに設けている。板状部３０は、図１２に示すように、ヒンジ部材１９の軸受板２３の上方に設けられ、板状部３１はヒンジ部材２１の軸受板２３の下方に設けられている。なお、ヒンジ部材１９は、合成樹脂により形成されており、軸受板２３を肉厚にしている。
【００２７】
この実施の形態では、図１３に示すように機構板５に固着したヒンジ部材２１の軸受板２３の周縁を、遊技盤取付枠３に設けた板状部３０に当てがうと共に、遊技盤取付枠３に固着したヒンジ部材１９の軸受板２３の周縁を、機構板５に設けた板状部３１に当てがい、図１４に示すように軸孔１８と軸ピン２０が直線状となった状態で、同図一点鎖線に示すように、互いのガイド部２７ｂに沿って摺動し、ヒンジ部材２１，２１の軸ピン２０を上方から軸孔１８に嵌挿することで、ヒンジ部材１９，１９の軸受板２３，２３にヒンジ部材２１，２１の軸受板２３，２３が支持されて機構板５を遊技盤４裏面に開閉自在に装着することができる。なお、ガイド部２７ｂの板状部３０，３１はヒンジ部材１９，２１と一体に設けてもよい。
【００２８】
また、この実施の形態においても、前記実施の形態と同様に少なくとも上下どちらか一方のヒンジ部材１９の軸受板２３の一部を延出して、軸ピン２０が載置する軸支持部２３ａを設けるのが好ましく、機構板５の装着に際し、ヒンジ部材１９の軸支持部２３ａに、該ヒンジ部材１９に対応する機構板５のヒンジ部材２１の軸ピン２０をまず載置させ、それを軸として機構板５に固着した他方のヒンジ部材２１の軸受板２３の周縁を、遊技盤取付枠３に設けた板状部３０に当てがうと共に、遊技盤取付枠３に固着したヒンジ部材１９の軸受板２３の周縁を、機構板５に設けた板状部３１に当てがい位置決めし、次に軸支持部２３ａに載置した軸ピン２０を軸支持部２３ａに沿って押し、ヒンジ部材２１の軸受板２３の周縁を、遊技盤取付枠３に設けた板状部３０に当てがうと共に、遊技盤取付枠３に固着したヒンジ部材１９の軸受板２３の周縁を、機構板５に設けた板状部３１に当てがい、ヒンジ部材２１，２１の軸ピン２０を軸孔１８に嵌挿するようにすると、機構板５が安定して装着しやすい。
【００２９】
図１５ないし図１７は、ガイド部を遊技盤取付枠３のヒンジ部材１９に設けた実施の形態を示すもので、ヒンジ部材１９は、図１５に示すように合成樹脂により軸受板２３を肉厚に形成しており、該軸受板２３の一部を切り欠くように軸孔１８に連通して一側が外方に向って拡開開口３２するガイド部２７ｄを一体に設けている。３３は、軸受板２３に形成したガイド溝である。
【００３０】
この実施の形態では、図１６および図１７に示すように、機構板５に固着したヒンジ部材２１の軸ピン２０を、遊技盤取付枠３に固着したヒンジ部材１９の開口３２から臨んでガイド部２７ｂに当接させ、図１７に示すように軸孔１８と軸ピン２０が直線状となった状態で、同図鎖線に示すように、機構板５を下方に摺動することで、ヒンジ部材２１，２１の軸ピン２０が上方から軸孔１８に嵌挿し、ヒンジ部材１９，１９の軸受板２３，２３にヒンジ部材２１，２１の軸受板２３，２３が支持されて機構板５を遊技盤４裏面に開閉自在に装着することができる。なお、ヒンジ部材２１の軸ピン２０を、ヒンジ部材１９の開口３２から臨ませる際に、軸ピン２０の先端がヒンジ部材１９の軸受板２３の前端に当たっても、前記ガイド溝３３により軸ピン２０をガイド部２７ｂにスムーズに導くことができる。
【００３１】
また、図１８に示すように軸孔１８の前端に位置する軸受板２３に軸ピン２０を載置する軸支持部２３ａを傾斜状に設けた実施の形態を示し、機構板５の装着に際し、ヒンジ部材１９の軸支持部２３ａに、一方のヒンジ部材２１の軸ピン２０をまず載置させ、それを軸として他方のヒンジ部材２１の軸ピン２０をガイド部２７ｃに当接させ、次に軸支持部２３ａに載置した軸ピン２０を軸支持部２３ａに沿って押し上げガイド部２７ｃに当接させ、機構板５を下方に摺動することで機構板５が安定して装着できる。また、図１９に示すように軸支持部２３ａに、軸ピン２０が仮止まる０．５〜１ｍｍ程度の段差Ｄを設けるのが好ましく、軸ピン２０が支持し易くなる。なおこのとき軸支持部２３ａは傾斜面ではなく水平面であってもよい。
【００３２】
図２０ないし図２２はガイド部のさらに他の実施の形態を示すもので、遊技盤取付枠３のヒンジ部材１９は、図２０に示すように合成樹脂により軸受板２３を肉厚に形成し、該軸受板２３の上方にＬ字型のガイド部２７ｅを一体に設けている。該ガイド部２７ｅは、ヒンジ部材２１の軸受板２３が接触して、軸孔１８と軸ピン２０が直線状となる大きさが選ばれる。
【００３３】
この実施の形態では、図２１に示すように機構板５に固着したヒンジ部材２１の軸受板２３の周縁を、ヒンジ部材１９に設けたＬ字型のガイド部２７ｅのコーナーに当てがい位置決めをし、図２２に示すように軸孔１８と軸ピン２０が直線状となった状態で、同図一点鎖線に示すようにガイド部２７ｅに沿って機構板５を下方に摺動し、ヒンジ部材２１，２１の軸ピン２０を上方から軸孔１８に嵌挿することで、ヒンジ部材１９，１９の軸受板２３，２３にヒンジ部材２１，２１の軸受板２３，２３が支持されて機構板５を遊技盤４裏面に開閉自在に装着することができる。
【００３４】
また、この実施の形態においても、前記実施の形態と同様に少なくとも上下どちらか一方のヒンジ部材１９の軸受板２３の一部を延出して、軸ピン２０が載置する軸支持部２３ａを設けるのが好ましく、機構板５の装着に際し、ヒンジ部材１９の軸支持部２３ａに、該ヒンジ部材１９に対応する機構板５のヒンジ部材２１の軸ピン２０をまず載置させ、それを軸として他方のヒンジ部材２１の軸受板２３をガイド部２７ｅに当接させて位置決めし、次に軸支持部２３ａに載置した軸ピン２０を軸支持部２３ａに沿って押し、ヒンジ部材２１の軸受板２３をガイド部２７ｅに当接させ、ヒンジ部材２１，２１の軸ピン２０を軸孔１８に嵌挿するようにすると、機構板５が安定して装着しやすい。
【００３５】
図２３ないし図２５はガイド部のさらに他の実施の形態を示すもので、図２３に示すようにガイド部２７ｆは、機構板５のヒンジ部材２１の下方に軸方向に設けられた突条３４と、ヒンジ部材１９の軸受板２３に設けた凹欠き３５とにより構成される。該突条３４および凹欠き３５は、突条３４を凹欠き３５に合致させると、軸孔１８と軸ピン２０が直線状となる大きさが選ばれる。
【００３６】
このように構成されたガイド部２７ｆは、図２４に示すように機構板５に設けた突条３４を、遊技盤取付枠３の一側上下に固着したヒンジ部材１９，１９の軸受板２３の凹欠き３５に当てがい、図２５に示すように軸孔１８と軸ピン２０が直線状となった状態で、同図鎖線に示すように突条３４を凹欠き３５に合致した状態で機構板５を下方に摺動し、ヒンジ部材２１，２１の軸ピン２０を上方から軸孔１８に嵌挿することで、ヒンジ部材１９，１９の軸受板２３，２３にヒンジ部材２１，２１の軸受板２３，２３が支持されて、機構板５を遊技盤４裏面に開閉自在に装着することができる。
【００３７】
また、この実施の形態においても、前記実施の形態と同様に少なくとも上下どちらか一方のヒンジ部材１９の軸受板２３の凹欠き３５と軸孔１８の間に、軸ピン２０が載置する軸支持部２３ａを設けるのが好ましく、機構板５の装着に際し、ヒンジ部材１９の軸支持部２３ａに、該ヒンジ部材１９に対応する機構板５のヒンジ部材２１の軸ピン２０をまず載置させ、それを軸として機構板５に設けた突条３４を、遊技盤取付枠３に固着した他方のヒンジ部材１９の軸受板２３の凹欠き３５に当てがい位置決めし、次に軸支持部２３ａに載置した軸ピン２０を軸支持部２３ａに沿って押し、突条３４を凹欠き３５に当接させ、ヒンジ部材２１，２１の軸ピン２０を軸孔１８に嵌挿するようにすると、機構板５が安定して装着しやすくなる。
【００３８】
なお、上記したそれぞれの実施の形態において、ヒンジ部材１９とヒンジ部材２１を着け変えて、軸孔１８を上方から軸ピン２０に嵌めるようにしても、ガイド部２７，２７ａ〜ｆを同じ様に設けることが可能である。
【００３９】
【発明の効果】
以上に述べたように本発明に係わるパチンコ機は、機構板を装着するヒンジ具の軸ピンと軸孔との位置合わせが簡単にできるガイド部を設けることにより、機構板の装着が簡単に短時間で行うことができる。また、軸ピンを仮載せする軸支持部を設けることにより、機構板の装着がよりスムーズにできる。
【図面の簡単な説明】
【図１】パチンコ機の裏面図である。
【図２】機構板を開放した状態のパチンコ機の斜視図である。
【図３】機構板を取り外した状態の要部斜視図である。
【図４】ヒンジ具部分の要部分解斜視図である。
【図５】ヒンジ具部分の要部平面図である。
【図６】ヒンジ具部分の要部断面図である。
【図７】ヒンジ部材の斜視図である。
【図８】機構板の装着を示す側断面図である。
【図９】他の実施の形態のヒンジ具部分の分解斜視図である。
【図１０】図９のヒンジ具部分の要部平面図である。
【図１１】図９のヒンジ具部分の要部断面図である。
【図１２】他の実施の形態のヒンジ具部分の分解斜視図である。
【図１３】図１２のヒンジ具部分の要部平面図である。
【図１４】図１２のヒンジ具部分の要部断面図である。
【図１５】他の実施の形態のヒンジ具部分の分解斜視図である。
【図１６】図１５のヒンジ具部分の要部平面図である。
【図１７】図１５のヒンジ具部分の要部断面図である。
【図１８】ヒンジ部材の斜視図である。
【図１９】ヒンジ部材の断面図である。
【図２０】他の実施の形態のヒンジ具部分の分解斜視図である。
【図２１】図２０のヒンジ具部分の要部平面図である。
【図２２】図２０のヒンジ具部分の要部断面図である。
【図２３】他の実施の形態のヒンジ具部分の分解斜視図である。
【図２４】図２３のヒンジ具部分の要部平面図である。
【図２５】図２３のヒンジ具部分の要部断面図である。
【符号の説明】
２                              前面枠
４                              遊技盤
５                              機構板
６                              ヒンジ具
１８                            軸孔
１９                            ヒンジ部材
２０                            軸ピン
２１                            ヒンジ部材
２３                            軸受板
２３ａ                          軸支持部
２７，２７ａ〜２７ｆ            ガイド部
【図１】
0004528379.tif 000002
【図２】
0004528379.tif 000003
【図３】
0004528379.tif 000004
【図４】
0004528379.tif 000005
【図５】
0004528379.tif 000006
【図６】
0004528379.tif 000007
【図７】
0004528379.tif 000008
【図８】
0004528379.tif 000009
【図９】
0004528379.tif 000010
【図１０】
0004528379.tif 000011
【図１１】
0004528379.tif 000012
【図１２】
0004528379.tif 000013
【図１３】
0004528379.tif 000014
【図１４】
0004528379.tif 000015
【図１５】
0004528379.tif 000016
【図１６】
0004528379.tif 000017
【図１７】
0004528379.tif 000018
【図１８】
0004528379.tif 000019
【図１９】
0004528379.tif 000020
【図２０】
0004528379.tif 000021
【図２１】
0004528379.tif 000022
【図２２】
0004528379.tif 000023
【図２３】
0004528379.tif 000024
【図２４】
0004528379.tif 000025
【図２５】
0004528379.tif 000026